(57)【特許請求の範囲】
【請求項１】
制御対象の温度を制御する温度コントローラであって、
複数のスイッチを備える操作部と、
前記操作部のスイッチ操作により、ユーザが前記制御対象の温度制御に必要なパラメータを任意に設定可能な通常使用モードから、該制御対象の温度を制御するための設定パラメータを変更可能なパラメータ変更モードに切替えるモード切替部と、
前記モード切替部により前記パラメータ変更モードに切替えられたときに、前記操作部のスイッチ操作により前記設定パラメータを変更するパラメータ変更部と、
前記パラメータ変更部によって変更された設定パラメータの変更履歴を記憶するか否かを、前記通常使用モードから前記パラメータ変更モードへの切替え過程として操作されたスイッチの操作回数の閾値に基づいて決定する記憶データ決定部と、
前記記憶データ決定部によって前記設定パラメータの変更履歴を記憶することが決定された設定パラメータの変更履歴を少なくとも時間に関する情報と共に記憶する履歴記憶部と、
前記履歴記憶部に記憶された前記設定パラメータの変更履歴が表示される表示部と
を備えることを特徴とする温度コントローラ。
【請求項２】
請求項１記載の温度コントローラにおいて、
前記表示部は、前記履歴記憶部に記憶された前記設定パラメータの変更履歴のうち新しいものを優先して表示することを特徴とする温度コントローラ。
【発明の詳細な説明】
【技術分野】
【０００１】
本発明は、制御対象の温度を制御する温度コントローラに関する。
【背景技術】
【０００２】
例えば、空調システムの温度コントローラでは、特許文献１に見られるように、ユーザが任意に設定を変更できる通常の運転モードと、変更権限を有しないユーザの設定変更を禁止する詳細設定モードとを切り替えるものが知られている。
【０００３】
従来の温度コントローラでは、変更権限を有する者（例えば、サービスマン）だけが知る特定の操作（例えば、操作ボタンの同時押しなど）により、通常の運転モードと詳細設定モードとの切り替えが可能となっている（特許文献１［００２１］）。
【特許文献１】特開平９−１６３５２２号公報
【発明の開示】
【発明が解決しようとする課題】
【０００４】
しかしながら、ユーザが不意に行った操作が前記特定の操作に該当したり、ユーザが前記特定の操作を探り当ててしまうような場合が生じ得る。かかる場合には、変更権限の無いユーザによって当該システムの詳細設定が変更され、変更権限を有する者は詳細設定が変更されていることを把握できないという不都合を生じる。特に、当該システムの動作不良や不調が、変更権限のないユーザによる詳細設定の変更に起因する場合には、その原因を特定することが困難となる。
【０００５】
そこで本発明は、上記の事情に鑑みて、変更権限を有する者に認められる設定の変更を変更権限のない者が行ったことを容易かつ確実に特定することができる温度コントローラを提供することを目的とする。
【課題を解決するための手段】
【０００６】
上記課題を解決するために、本発明は、制御対象の温度を制御する温度コントローラであって、複数のスイッチを備える操作部と、前記操作部のスイッチ操作により、ユーザが前記制御対象の温度制御に必要なパラメータを任意に設定可能な通常使用モードから、該制御対象の温度を制御するための設定パラメータを変更可能なパラメータ変更モードに切替えるモード切替部と、前記モード切替部により前記パラメータ変更モードに切替えられたときに、前記操作部のスイッチ操作により前記設定パラメータを変更するパラメータ変更部と、前記パラメータ変更部によって変更された設定パラメータの変更履歴を記憶するか否かを、前記通常使用モードから前記パラメータ変更モードへの切替え過程として操作されたスイッチの操作回数の閾値に基づいて決定する記憶データ決定部と、前記記憶データ決定部によって前記設定パラメータの変更履歴を記憶することが決定された設定パラメータの変更履歴を少なくとも時間に関する情報と共に記憶する履歴記憶部と、前記履歴記憶部に記憶された前記設定パラメータの変更履歴が表示される表示部とを備えることを特徴とする（第１発明）。
【０００７】
かかる第１発明の温度コントローラによれば、通常使用モードからパラメータ変更モードに切り替えられ、このパラメータ変更モードでは、変更された設定パラメータの変更履歴が、時間に関する情報と共に履歴記憶部に記憶される。そのため、変更権限のない者（例えば、変更権限のないユーザ）が不意に行ったスイッチ操作により、或いは変更権限のない者が意図的にスイッチ操作を行うことよりパラメータ変更モードに切り替えられ、設定パラメータが変更された場合にも、その変更履歴が履歴記憶部に記憶される。そして、履歴記憶部に記憶される変更履歴には少なくとも時間に関する情報が含まれる。そのため、設定パラメータが変更された時間を特定することができ、その変更は変更権限のある者によって過去に行われたものであるか、または変更権限のない者によって行われたものであるかを事後的に把握することができる。このようにして、変更権限を有する者に認められる設定の変更を変更権限のない者が行ったことを容易かつ確実に特定することができる。
【０００８】
さらに、当該温度コントローラを含む製品やシステム等の動作不良や不調が変更権限のない者による設定パラメータの変更に起因する場合にも、かかる変更が行われたことを事後的に把握することができ、設定パラメータの変更に起因する当該製品等の動作不良や不調を円滑に改善させることが可能となる。
【００１０】
また、かかる第１発明の温度コントローラによれば、パラメータ変更モードへの切替え過程を考慮して、当該変更された設定パラメータの変更履歴を記憶するか否かが決定される。例えば、変更権限がない者がパラメータ変更モードへの切替え操作を探り当てるような操作を行った後に変更された設定パラメータの変更履歴は、その変更履歴を記憶する必要性が高いため記憶の対象とすることができる。一方、変更権限のある者（例えばサービスマン）が変更を行った設定パラメータの変更履歴は、敢えてその変更履歴を記憶する必要性が低いためその変更履歴を記憶しないようにすることができる。このように、変更権限のない者が行った設定パラメータの変更を容易かつ確実に特定することができる。さらに、記憶する変更履歴を節約して履歴記憶部の記憶領域を有効に活用することもできる。
【００１２】
前記第１発明の温度コントローラにおいて、前記表示部は、前記履歴記憶部に記憶された前記設定パラメータの変更履歴のうち新しいものを優先して表示することを特徴とする（第２発明）。
【００１３】
かかる第２発明の温度コントローラによれば、履歴記憶部に記憶された設定パラメータの変更履歴は、最新のものからその内容を確認したい場合が多い。例えば、当該温度コントローラを含む製品やシステム等の動作不良や不調に対応するためには、最近の変更履歴を確認することが有効である。そこで、変更履歴を新しいものを優先させて表示部に表示させることで、変更履歴を確認する際の使い勝手を向上させ、変更権限のない者が行った操作を容易に特定することができる。
【発明を実施するための最良の形態】
【００１４】
本発明の一実施形態としての温度コントローラについて、図１〜図３を参照して説明する。
【００１５】
図１を参照して、本実施形態の温度コントローラ１は、例えば、電気床暖房システムに搭載されるリモートコントローラであって、制御対象としてのヒータ５（図２参照）への通電を行い、床下温度を予め設定した温度に制御する機能等を備えている。温度コントローラ１は、複数のスイッチ２０〜２４からなる操作部２と、操作部２の操作に対応した情報の提示等を行う表示部３と、音声出力やブザー音を出力するためのスピーカ４とを備える。
【００１６】
操作部２は、ヒータ５への通電が可能な運転状態と通電が不能な待機状態とを切替えるための運転スイッチ２０と、運転状態と待機状態とを時間管理するタイマ動作等を設定する設定モードへの切換えを行う設定スイッチ２１と、設定モードで設定されたタイマ動作のＯＮ／ＯＦＦを切替えるタイマスイッチ２２と、現時刻や設定モードでタイマ動作時間を調整する時間スイッチ２３ａ，２３ｂ及び時分スイッチ２４ａ，２４ｂとを備える。時間スイッチ２３ａ，２３ｂは、一方が時間を進行させるスイッチ２３ａと、他方が時間を後退させるスイッチ２３ｂとで一対を成す。時分スイッチ２４ａ，２４ｂは、一方が時間を進行させるスイッチ２４ａと、他方が時間を後退させるスイッチ２４ｂとで一対を成す。また、時分スイッチ２４ａ，２４ｂは、ヒータ５への通電による前記床下温度を設定するスイッチとしての機能を兼ね備え、スイッチ２４ａにより床下温度を上げ、スイッチ２４ｂにより床下温度を下げることができる。
【００１７】
表示部３は、現時刻を表示する現時刻表示部３０と、設定されている前記床下温度のレベルを表示する設定温度表示部３１と、タイマのＯＮ／ＯＦＦを表示するタイマ作動表示部３２と、タイマにより運転状態となる時間帯を表示するタイマ時間帯表示部３３とを備える。
【００１８】
次に、図２を参照して、温度コントローラ１の構成について説明する。
【００１９】
温度コントローラ１は、マイクロコンピュータ等により構成された制御部１０を備え、制御部１０により、前述のように制御対象としてのヒータ５への通電量が制御されるほか、本発明に関連する設定パラメータの変更履歴の管理を行う。なお、ヒータ５への通電量の制御については、例えば本出願人による特開２０００−８１２２０号等の公知の手法を用いて実現することができるため、本明細書での詳細な説明は省略する。
【００２０】
制御部１０は、「通常使用モード」と「パラメータ変更モード」との切替えを行うモード切替部１１と、変更の対象となった設定パラメータの変更処理を実行するパラメータ変更部１２と、変更の対象となった設定パラメータの変更履歴を保存するか否かを決定する記憶データ決定部１３と、記憶データ決定部１３により保存することが決定された変更履歴を記憶する履歴記憶部１４とを備える。
【００２１】
モード切替部１１は、操作部２の特定の操作（例えば、スイッチ２０〜２４の一部のスイッチの長押しや特定の順序でのスイッチ操作）により、ユーザが前記床下温度等の設定を任意に行うことができる「通常使用モード」から、変更権限のある者（サービスマン等）により電気床暖房システムの仕様が詳細設定される「パラメータ変更モード」への切替えを行う。
【００２２】
また、モード切替部１１は、「パラメータ変更モード」への切替えに付随して、「パラメータ変更モード」に切替えられるまでのスイッチ２０〜２４の操作回数をカウントし、カウントした操作回数を制御部１０の図示しないメモリ等に一時的に格納する。
【００２３】
「パラメータ変更モード」では、主にヒータ５への通電を制御するための複数の設定パラメータが設定または変更される。ここで、設定パラメータは、例えば、電源電圧（１００Ｖまたは２００Ｖ）の設定、前記床下温度を検出する温度センサのオフセット量、設定温度表示部３１に表示されるレベルに対するヒータ５への通電率、運転開始時のヒータ５への通電率、床下温度からヒータ５の異常過熱を判定するための異常過熱判定温度等である。
【００２４】
パラメータ変更部１２は、「パラメータ変更モード」で変更可能な複数の設定パラメータのうちからユーザによって変更の対象として選択される。そして、選択された設定パラメータの値を変更後の値に更新することにより、変更内容をヒータ５への通電制御等に反映させる。
【００２５】
記憶データ決定部１３は、パラメータ変更部１２によって変更された設定パラメータの変更履歴を履歴記憶部１４に記憶するか否かを、「通常使用モード」から「パラメータ変更モード」への切替え過程と、変更された設定パラメータの種類とに基づいて決定する。
【００２６】
履歴記憶部１４は、例えば、ＥＥＰＲＯＭ等によって構成される不揮発性のメモリであって、変更履歴およびその付随情報を予め対応付けられた所定のコードに変換して記憶する。
【００２７】
なお、各処理部１１〜１４は、ＣＰＵ，ＲＯＭ，ＲＡＭ等のハードウェアにより構成され、これらの各処理部が共通のハードウェアによって構成されていてもよく、これらの各処理部の一部又は全部が異なるハードウェアによって構成されていてもよい。
【００２８】
次に、図３に示すフローチャートを参照して、本実施形態の温度コントローラ１における設定パラメータの変更処理について説明する。
【００２９】
まず、モード切替部１１は、操作部２のスイッチ２０〜２４で特定の操作が行われた否かを判定する（ＳＴＥＰ１１）。そして、操作部２のスイッチ２０〜２４で特定の操作が行われることをトリガとして（ＳＴＥＰ１１でＹＥＳ）、モード切替部１１により「通常使用モード」から「パラメータ変更モード」に切替えられる（ＳＴＥＰ１２）。
【００３０】
一方、モード切替部１１は、操作部２のスイッチ２０〜２４で特定の操作が行われるまでは（ＳＴＥＰ１１でＮＯ）、「パラメータ変更モード」への変更処理を実行せず、運転状態となってからのスイッチ２０〜２４の操作回数をカウントし続ける。
【００３１】
モード切替部１１により「通常使用モード」から「パラメータ変更モード」に切替えられると（ＳＴＥＰ１２）、モード切替部１１により「パラメータ変更モード」に切替えられるまでのスイッチ２０〜２４の操作回数が一時的に保存される（ＳＴＥＰ１３）。
【００３２】
さらに、モード切替部１１により「通常使用モード」から「パラメータ変更モード」に切替えられると（ＳＴＥＰ１２）、制御部１０の所定のデータ格納場所から現在の設定パラメータの設定値が読み出されると共に、履歴記憶部１４に記憶されている変更履歴が読み出される（ＳＴＥＰ１４）。
【００３３】
次いで、読み出された複数の設定パラメータの設定値および変更履歴は、時間スイッチ２３ａ（２３ｂ）を操作することにより、順番に（戻るように）表示部３に表示される。そして、パラメータ変更部１２により、設定スイッチ２１の操作の有無に基づいて変更の対象となる設定パラメータが選択された否かが判定される（ＳＴＥＰ１５）。
【００３４】
具体的には、変更する設定パラメータが表示部３に表示された状態で、設定パラメータ設定スイッチ２１が操作されることにより、その設定パラメータが変更の対象として選択される（ＳＴＥＰ１５でＹＥＳ）。そして、選択された設定パラメータの現在の設定値が表示部３に点滅表示される（ＳＴＥＰ１６）。これにより、当該設定パラメータの変更が可能な状態となっていることを示す。
【００３５】
次いで、パラメータ変更部１２により、設定パラメータを変更する操作が行われたか否かが判定される（ＳＴＥＰ１７）。具体的には、選択され点滅表示している設定パラメータの設定値が時分スイッチ２４ａ，２４ｂの操作により変更され、設定スイッチが再び操作されることをトリガとして、設定パラメータを変更する操作が行われたと判定される（ＳＴＥＰ１７でＹＥＳ）。そして、設定パラメータを変更する操作が行われると、パラメータ変更部１２により、当該設定パラメータの値を変更後の値に更新する処理が実行される（ＳＴＥＰ１８）。
【００３６】
次いで、記憶データ決定部１３により、変更の対象となった設定パラメータの変更履歴を記憶する必要があるか否かが判定される（ＳＴＥＰ１９）。具体的には、ＳＴＥＰ１３で一時的に保存されている「パラメータ変更モード」への切替えるまでに操作されたスイッチ２０〜２４の回数が所定の閾値（例えば１０回）以上の場合には、変更の対象となった設定パラメータの変更履歴を記憶する必要があると判定される（ＳＴＥＰ１９でＹＥＳ）。また、ＳＴＥＰ１３で一時的に保存されているスイッチ２０〜２４の操作回数に関わらず、予め変更履歴を記憶することが規定されている設定パラメータの場合には、変更履歴を記憶する必要があると判定し（ＳＴＥＰ１９でＹＥＳ）、それ以外の設定パラメータの場合には変更履歴を記憶する必要がないと判定する（ＳＴＥＰ１９でＮＯ）。
【００３７】
そして、設定パラメータの変更履歴を記憶する必要があると判定された場合には、記憶データ決定部１３により、変更履歴を記憶する設定パラメータに付随する付随データが取得される（ＳＴＥＰ２０）。ここで、取得される付随データは、変更日時や変更前の設定値等である。
【００３８】
次いで、設定パラメータの変更履歴を記憶する必要があると判定された変更履歴が、その付随データと共に履歴記憶部１４に記憶される（ＳＴＥＰ２１）。
【００３９】
以上が、本実施形態の温度コントローラ１における設定パラメータの変更処理の詳細である。続いて、履歴記憶部１４に記憶された変更履歴を表示する処理について説明する。
【００４０】
ＳＴＥＰ１４で読み出された変更履歴は、時間スイッチ２３ａ（２３ｂ）を操作することにより（設定パラメータの変更を選択することなく（ＳＴＥＰ１５でＮＯ））、履歴内容を表示させることができる（ＳＴＥＰ２２、２３）。
【００４１】
具体的には、項目として『変更履歴表示』が表示された状態で、設定パラメータ設定スイッチ２１が操作されることにより、その変更履歴の表示が選択される（ＳＴＥＰ２２でＹＥＳ）。そして、ＳＴＥＰ１４で読み出された変更履歴が、［表１］に示すように、更新日時の新しいものから順に表示される（ＳＴＥＰ２３）
【表１】
0005082121.tif 000002
【００４２】
かかる変更履歴の表示から設定パラメータが変更された時間を特定することができ、その変更は変更権限のある者によって過去に行われたものであるか、変更権限のない者によって行われたものであるかを事後的に把握することができる。
【００４３】
さらに、当該電気床暖房システムに動作不良や不調が生じた場合にも、例えば、［表１］で電源電圧が１００［Ｖ］から２００［Ｖ］に変更されたことを事後的に把握して、かかる設定パラメータの変更に起因する当該製品等の動作不良や不調を円滑に改善させることが可能となる。また、変更履歴の表示は更新日時の新しいものから表示されるため、過去の変更履歴が複数記憶されている場合にも、変更履歴を確認する際の使い勝手を向上させ、変更権限のない者が行った操作を容易に特定することが可能となる。
【００４４】
このように本実施形態の温度コントローラ１によれば、変更権限を有する者に認められる設定の変更を変更権限のない者が行ったことを容易かつ確実に特定することができる。
【００４５】
以上が履歴記憶部１４に記憶された変更履歴を表示する処理についての詳細である。なお、図３のＳＴＥＰ１７で設定パラメータを変更する操作が行われない場合または変更する操作は行われたがパラメータの設定値が変更されなかった場合には（ＳＴＥＰ１７でＮＯ）、所定の時間経過（例えば１分）を要件に一連の処理を終了する。また、同様に、ＳＴＥＰ２２で選択操作がなされなかった場合には（ＳＴＥＰ２２でＮＯ）、所定の時間経過（例えば１分）を要件に一連の処理を終了する。さらに、変更履歴を記憶する必要が無い場合にも（ＳＴＥＰ１９でＮＯ）、その後の処理を行うことなく一連の処理を終了する。
【００４６】
尚、本実施形態では、記憶データ決定部１３を設けて、履歴記憶部１４に記憶する変更履歴を限定しているが、記憶データ決定部１３を省略して、「パラメータ変更モード」で変更された設定パラメータの変更履歴のすべてを履歴記憶部１４に記憶するようにしてもよい。
【００４７】
また、本実施形態において、履歴記憶部１４に記憶される変更履歴には、変更日時や変更前の設定値が含まれたが、これに限定されるものではなく、変更権限のない者による変更が行われたことが特定できれば、これらの一部のみが記憶されてもよい。例えば、更新日時と変更内容のみが記憶されてもよい。また、更新日時の代わりに稼動時間を時間情報として記憶するようにしてもよい。さらに、変更内容は、これに対応するコード番号で記憶および表示を行うようにしてもよい。
【００４８】
さらに、本実施形態において、変更権限のない者による設定パラメータの変更を抑止するために、「パラメータ変更モード」への切替えるまでに操作されたスイッチ２０〜２４の回数が所定の閾値（例えば１０回）以上であること等を要件に、設定パラメータの変更を許容しないこと、スピーカ４からブザー音等の警告音を出力すること、表示部３にエラー表示を行うことなどを実行するようにしてもよい。
【図面の簡単な説明】
【００４９】
【図１】本実施形態の温度コントローラの外観図。
【図２】本実施形態の温度コントローラの構成を示す図。
【図３】本実施形態の温度コントローラにおける処理を示すフローチャート。
【符号の説明】
【００５０】
１…温度コントローラ、２…操作部、３…表示部、４…スピーカ、５…ヒータ（制御対象）、１０…制御部、１１…モード切替部、１２…パラメータ変更部、１３…記憶データ決定部、１４…履歴記憶部、２０〜２４…スイッチ。
【図１】
0005082121.tif 000003
【図２】
0005082121.tif 000004
【図３】
0005082121.tif 000005